(57)【要約】【課題】  樋本体を覆い屋根面から滑落する雪を上面で受ける雪受板を設け、この雪受板を自動で開閉させるようにして雪による雨樋の破損を防ぐようにし煩雑さの解消を図る。【解決手段】  屋根からの雨水を受ける樋本体１０と、回動軸１１を中心に回動可能に設けられ回動により屋根の先端との間に雨水が通過しうる間隙を形成するとともに樋本体１０を覆い屋根面から滑落する雪を上面２２で受ける受け位置及び受け位置から離間して樋本体１０を開放する離間位置の２位置に位置させられる雪受板２０と、雪受板２０の受け位置で間隙の真下に位置する中樋３０と、中樋３０に連携し中樋３０に所定量以上の雨水が溜まったとき雨水の重さで雪受板２０を受け位置から離間位置に回動させ、中樋３０の雨水が所定量に満たないとき雪受板２０を離間位置から受け位置に回動させる回動機構４０とを備えた。【選択図】図１
2008214899.tif 000002
【特許請求の範囲】
【請求項１】
屋根の先端に沿って配置され屋根からの雨水を受ける開口を有した樋本体と、該樋本体の長手方向に沿う回動軸を中心に回動可能に設けられ該回動により屋根の先端との間に雨水が通過しうる間隙を形成するとともに上記樋本体を覆い屋根面から滑落する雪を上面で受ける受け位置及び該受け位置から離間して上記樋本体を開放する離間位置の２位置に位置させられる雪受板と、上記雪受板の受け位置で上記間隙の真下に位置し雨水を受けて溜めるとともに溜まった雨水を少量ずつ排水する小径のフロー孔を有した中樋と、該中樋に連携し該中樋に所定量以上の雨水が溜まったとき該雨水の重さで上記雪受板を受け位置から離間位置に回動させ、該中樋の雨水が所定量に満たないとき上記雪受板を離間位置から受け位置に回動させる回動機構とを備えたことを特徴とする雨樋装置。
【請求項２】
上記樋本体を軒下に固定し、上記雪受板を上記樋本体に対して上記回動軸を介して回動可能に設け、上記回動機構を、上記所定量以上溜まった雨水を含む上記中樋の重さにより上記雪受板の重さに抗して該雪受板を離間位置に回動させ、上記雪受板の重さにより上記所定量に満たない溜まった雨水を含む上記中樋の重さに抗して該雪受板を受け位置に回動させるリンク機構で構成したことを特徴とする請求項１記載の雨樋装置。
【請求項３】
上記樋本体に着脱可能に設けられるベース部材を備え、該ベース部材に上記雪受板を回動軸を介して回動可能に設けたことを特徴とする請求項１又は２記載の雨樋装置。
【請求項４】
上記リンク機構を、一端が上記中樋に固定され中間が上記ベース部材に回動可能にピンで軸支される第一リンクと、一端が上記第一リンクの他端にピンで軸支され他端が上記雪受板の裏面側にピンで軸支される第二リンクとを備えて構成したことを特徴とする請求項３記載の雨樋装置。
【請求項５】
上記樋本体を、軒下に取付部材を介して上記回動軸を中心に回動可能に設け、上記雪受板の基端部を該樋本体の開口の外側縁に連設し、上記中樋を上記雪受板の先端部内側に形成し、上記回動機構を、上記樋本体，中樋及び雪受板自体で構成し、上記所定量以上溜まった雨水を含む上記中樋の重さにより上記樋本体の重さに抗して上記雪受板を上記樋本体及び中樋とともに回動させて離間位置に回動させ、上記樋本体の重さにより上記所定量に満たない溜まった雨水を含む上記中樋の重さに抗して上記雪受板を上記樋本体及び中樋とともに回動させて受け位置に回動させるように構成したことを特徴とする請求項１記載の雨樋装置。
【発明の詳細な説明】
【技術分野】
【０００１】
本発明は、屋根の先端に沿って配置され屋根からの雨水を受ける樋本体を備えた雨樋装置に係り、特に、屋根から落下する雪によって樋本体が破損することを防ぐようにした雨樋装置に関する。
【背景技術】
【０００２】
従来、この種の雨樋装置としては、例えば、特許文献１（実開昭６３−１７２１４号公報）に記載されたものが知られている。
図１３に示すように、この雨樋装置Ｒは、雨樋上部１００ａと雨樋下部１００ｂとを、その合わせ目１０１において、複数の蝶番１０２で回動可能に接続し、雨樋上部１００ａの両側面に、掛け金具１０３を設け、雨樋下部１００ｂの両側面及び屋根の破風１０４に、掛け金具１０３を掛けるための止め具１０５を設け、降雪時に、適宜、手動で掛け金具１０３を操作し、雨樋上部１００ａを雨樋下部１００ｂに対して、手動で開閉し、屋根から落下する雪による破損を防ぐようにしている。
【０００３】
【特許文献１】実開昭６３−１７２１４号公報
【発明の開示】
【発明が解決しようとする課題】
【０００４】
しかしながら、この従来の雨樋装置にあっては、雪による雨樋の破損を防ぐために、手動で掛け金具１０３を操作し、雨樋上部１００ａを手動で開閉するので、作業が煩雑で手間が掛かるという問題があった。
【０００５】
本発明は、このような問題点に鑑みてなされたもので、樋本体を覆い屋根面から滑落する雪を上面で受ける雪受板を設け、この雪受板を自動で開閉させるようにして雪による雨樋の破損を防ぐようにし、煩雑さの解消を図った雨樋装置を提供することを目的とする。
【課題を解決するための手段】
【０００６】
このような目的を達成するため、本発明の雨樋装置は屋根の先端に沿って配置され屋根からの雨水を受ける開口を有した樋本体と、該樋本体の長手方向に沿う回動軸を中心に回動可能に設けられ該回動により屋根の先端との間に雨水が通過しうる間隙を形成するとともに上記樋本体を覆い屋根面から滑落する雪を上面で受ける受け位置及び該受け位置から離間して上記樋本体を開放する離間位置の２位置に位置させられる雪受板と、上記雪受板の受け位置で上記間隙の真下に位置し雨水を受けて溜めるとともに溜まった雨水を少量ずつ排水する小径のフロー孔を有した中樋と、該中樋に連携し該中樋に所定量以上の雨水が溜まったとき該雨水の重さで上記雪受板を受け位置から離間位置に回動させ、該中樋の雨水が所定量に満たないとき上記雪受板を離間位置から受け位置に回動させる回動機構とを備えた構成とした。
【０００７】
これにより、雪受板が受け位置に位置しているときは、雪受板が樋本体を覆い屋根面から滑落する雪を上面で受けるようになるので、樋本体に雪が入り込むことを防ぐことができる。また、落ち葉，ゴミ等の異物が樋本体内に入り込むことも防止される。この状態において、雨が降った場合には、雪受板は、中樋に溜まった雨水の重さによって、受け位置から離間位置に回動して移動させられるようになるので、雨が樋本体に入り込むようになり、雨樋としての機能を十分に果たすことができる。また、中樋に小径のフロー孔を設けたため、中樋から雨水が少量ずつ排水され、雨が止むと中樋の中に雨水はなくなるようになる。この場合、雪受板は、離間位置から受け位置に回動して移動させられるようになる。このことから、雪受板は、雨や雪の重さによって自動的に受け位置と離間位置の２位置に移動させられるようになるので、雨樋として機能を果たすとともに、雪による破損を防ぐことができ、煩雑さが解消される。
【０００８】
そして、必要に応じ、上記樋本体を軒下に固定し、上記雪受板を上記樋本体に対して上記回動軸を介して回動可能に設け、上記回動機構を、上記所定量以上溜まった雨水を含む上記中樋の重さにより上記雪受板の重さに抗して該雪受板を離間位置に回動させ、上記雪受板の重さにより上記所定量に満たない溜まった雨水を含む上記中樋の重さに抗して該雪受板を受け位置に回動させるリンク機構で構成した。これにより、所定量以上溜まった雨水を含む中樋の重さが、雪受板の重さを上回ったとき、中樋は下方に移動させられ、雪受板を受け位置から上方に移動させるモーメントを生じさせる。これによって、雪受板は離間位置に移動させられ、樋本体を開放するようになる。また、雪受板の重さが、所定量以上溜まった雨水を含む中樋の重さを上回ったとき、中樋は上方に向かって移動させられ、雪受板を離間位置から下方に移動させるモーメントを生じさせる。これによって、雪受板は受け位置に移動させられ、樋本体を覆うようになる。
【０００９】
また、必要に応じ、上記樋本体に着脱可能に設けられるベース部材を備え、該ベース部材に上記雪受板を回動軸を介して回動可能に設けた構成とした。これにより、ベース部材が樋本体に対して着脱可能になるので、ベース部材及び雪受板を、既設の雨樋に容易に取付けすることが可能となり、汎用性が増す。
【００１０】
更に、必要に応じ、上記リンク機構を、一端が上記中樋に固定され中間が上記ベース部材に回動可能にピンで軸支される第一リンクと、一端が上記第一リンクの他端にピンで軸支され他端が上記雪受板の裏面側にピンで軸支される第二リンクとを備えた構成とした。リンク機構なので、構造を比較的簡易にすることができる。これにより、中樋が雨水の重さによって下方に移動させられると、第一リンクの他端及び第二リンクの一端は上方に移動させられるようになる。そして、第二リンクの他端は、第二リンクの一端と連動して上方に持ち上げられるようになる。第二リンクは、雪受板に軸支されているので、雪受板も上方に移動させられるようになる。このことから、中樋が下方に移動させられると、雪受板は上方に移動させられるようになる。また、中樋が上方に移動させられると、第一リンクの他端及び第二リンクの一端は下方に移動させられるようになり、第二リンクの他端は、第二リンクの一端と連動して下方に移動させられる。第二リンクは、雪受板に軸支されているので、雪受板も下方に移動させられるようになる。このことから、中樋が上方に移動させられると、雪受板は下方に移動させられるようになる。
【００１１】
更にまた、必要に応じ、上記樋本体を、軒下に取付部材を介して上記回動軸を中心に回動可能に設け、上記雪受板の基端部を該樋本体の開口の外側縁に連設し、上記中樋を上記雪受板の先端部内側に形成し、上記回動機構を、上記樋本体，中樋及び雪受板自体で構成し、上記所定量以上溜まった雨水を含む上記中樋の重さにより上記樋本体の重さに抗して上記雪受板を上記樋本体及び中樋とともに回動させて離間位置に回動させ、上記樋本体の重さにより上記所定量に満たない溜まった雨水を含む上記中樋の重さに抗して上記雪受板を上記樋本体及び中樋とともに回動させて受け位置に回動させる構成とした。回動機構を、樋本体，中樋及び雪受板自体で構成したので、構造が簡易になる。これにより、樋本体と、中樋及び雪受板が連設されるようになるので、所定量以上溜まった雨水を含む中樋の重さが、樋本体の重さを上回ったとき、中樋及び雪受板を受け位置から離間位置に移動させるモーメントを生じさせる。これによって、雪受板は離間位置に移動させられ、雨樋を開放するようになる。また、樋本体の重さが、所定量以上溜まった雨水を含む中樋の重さを上回ったとき、中樋及び雪受板を離間位置から受け位置に移動させるモーメントを生じさせる。これによって、雪受板は受け位置に移動させられ、樋本体を覆うようになる。
【発明の効果】
【００１２】
本発明の雨樋装置によれば、雪受板が受け位置に位置しているときは、雪受板が樋本体を覆い屋根面から滑落する雪を上面で受けるようになるので、樋本体に雪が入り込むことを防ぐことができる。また、落ち葉，ゴミ等の異物が樋本体内に入り込むことも防止される。この状態で、雨が降った場合には、雪受板は、中樋に溜まった雨水の重さによって、受け位置から離間位置に回動して移動させられるようになるので、雨が樋本体に入り込むようになり、雨樋としての効果を十分に発揮することができる。このため、雪受板は、雨や雪の重さによって自動的に受け位置と離間位置の２位置に移動させられるようになり、逐一手動で動かさなくても良いことから、煩雑さが解消される。
【発明を実施するための最良の形態】
【００１３】
以下、添付図面に基づいて本発明の実施の形態に係る雨樋装置を説明する。
図１乃至図６には、本発明の第一の実施の形態に係る雨樋装置Ｇａを示している。この実施の形態に係る雨樋装置Ｇａの基本的構成は、樋本体１０と、雪受板２０と、中樋３０と、回動機構４０とを備えてなる。
【００１４】
樋本体１０は、図１乃至図６に示すように、屋根１の先端２に沿って配置され屋根１からの雨水Ｍを受けるもので、開口１９を有し、軒下３に設けられる。第一の実施の形態では、樋本体１０として、すでに設置されている既設の雨樋を使用する。この樋本体１０には、着脱可能なベース部材５０が設けられている。
【００１５】
ベース部材５０は、図１乃至図６に示すように、開口１９間に架設され雪受板２０と後述の第一リンク４１とを回動可能に設ける板状の支持部５１と、支持部５１の他方端部５５が挿通される筒状体５２と、樋本体１０の両開口縁に夫々着脱可能に取付けられる断面Ｕ字状の一対の取付部５３とを備えてなる。支持部５１の一方端部５４は、一方の取付部５３に固定されている。また、筒状体５２は、他方の取付部５３に固定されている。このベース部材５０は、支持部５１を筒状体５２に対して摺動させることにより、長さ調整可能になっている。
【００１６】
雪受板２０は、図１及び図３乃至図６に示すように、樋本体１０の長手方向に沿う回動軸１１を中心に回動可能に設けられ回動により屋根１の先端２との間に雨水Ｍが通過しうる間隙１２を形成するとともに樋本体１０を覆い屋根１面から滑落する雪を上面で受ける受け位置Ｕ及び受け位置Ｕから離間して樋本体１０を開放する離間位置Ｌの２位置に位置させられるものである。即ち、この雪受板２０は、矩形板状に形成され、その長手方向左右であって基端部２９がわにおいて、一対のベース部材５０の一方端部５４に設けた回動軸１１に夫々回動可能に支持されている。雪受板の長さは、例えば１０００ｍｍに設定されている。これにより、設置した状態の時には、雪受板２０の先端部２１と屋根１の先端２との間に間隙１２を有するとともに、樋本体１０を覆い屋根１面から滑落する雪を上面２２で受ける受け位置Ｕに位置されている。また、この雪受板２０は、後述の中樋３０の移動によって回動させられ、受け位置Ｕから離間させられて樋本体１０を開放する離間位置Ｌに移動させられるようになっている。
【００１７】
中樋３０は、図１乃至図６に示すように、雪受板２０の受け位置Ｕで間隙１２の真下に位置し雨水Ｍを受けて溜めるとともに溜まった雨水Ｍを少量ずつ排水するものである。この中樋３０は、断面が御椀状で雪受板２０と略同じ長さに形成されており、間隙１２から入り込む雨水Ｍを受け止めて溜めるようになっている。また、この中樋３０には、中樋３０の底面３２に小径のフロー孔３１が設けられている。このフロー孔３１は、中樋３０に溜まった雨水Ｍを、少量ずつ樋本体１０に向けて排水させるものである。
【００１８】
回動機構４０は、図１乃至図６に示すように、中樋３０に連携し中樋３０に所定量以上の雨水Ｍが溜まったとき雨水Ｍの重さで雪受板２０を受け位置Ｕから離間位置Ｌに回動させ、中樋３０の雨水Ｍが所定量に満たないとき雪受板２０を離間位置Ｌから受け位置Ｕに回動させるものであり、リンク機構で構成されている。このリンク機構は、一端４２が中樋３０に固定され中間４４がベース部材５０の支持部５１に回動可能にピン５６で軸支される第一リンク４１と、一端４６が第一リンク４１の他端４３にピン４８で軸支され他端４７が雪受板２０の裏面２３側にピン２４で軸支される第二リンク４５とを備えてなる。第一リンク４１は、その一端４２が中樋３０の断面に対応する形状に形成されており、中樋３０の外側３３に固定されている。
【００１９】
このような回動機構４０によって、雪受板２０は、所定量以上溜まった雨水Ｍを含む中樋３０の重さにより、雪受板２０の重さに抗して離間位置Ｌに回動させられる。また、雪受板２０は、雪受板２０の重さにより、所定量に満たない溜まった雨水Ｍを含む中樋３０の重さに抗して受け位置Ｕに回動させられる。
【００２０】
このように構成される本発明の第一の実施の形態に係る雨樋装置Ｇａを使用するときは、以下のようになる。予め、雨樋の長さに合わせて、複数の雨樋装置Ｇａを用意する。即ち、一対のベース部材５０に雪受板２０，中樋３０及び回動機構４０を設けたユニットを複数用意する。先ず、既設の雨樋に、雨樋装置Ｇａを取付ける。取付けは、ベース部材５０を樋本体１０の開口１９の上端部１３に架設して、ベース部材５０に設けられた取付部５３を介して取付け固定する。このとき、既設の雨樋によって大きさが異なるので、支持部５１の筒状体５２に挿通する長さを調節して、ベース部材５０の長さを雨樋の幅に合わせる。このようにして、複数の雨樋装置Ｇａを、雨樋全体に取付けていく。
【００２１】
この状態では、雪受板２０は、図３に示すように、受け位置Ｕに位置されており、樋本体１０を覆うようになっている。即ち、図４に示すように、雪が降ってきても、屋根１と雪受板２０の上面２２とで、雪を受け止めることができ、樋本体１０に雪が入り込まず、雪の重さによって樋本体１０が破損することを防ぐことができる。また、積もった雪が屋根１から滑り落ちるときは、雪受板２０の上面２２に受けられてこれを滑って落下していく。そのため、樋本体１０が破損することを防ぐことができる。また、降雪時でない場合、落ち葉，ゴミ等の異物が樋本体内に入り込むことも防止される。
【００２２】
また、雨が降った場合には、図５に示すように、屋根１からの雨水Ｍは、雪受板２０が受け位置Ｕに位置するときに雪受板２０の先端部２１と屋根１の先端２との間に生じる間隙１２に入り込み、間隙１２の真下に位置する中樋３０に溜まるようになる。この溜まった雨水Ｍを含む中樋３０の重さが、雪受板２０の重さよりも重くなった時、中樋３０は下方へ回動して移動させられるようになり、雪受板２０は上方へ回動して移動させられるようになる。
【００２３】
詳しくは、第一リンク４１とベース部材５０を軸支しているピン５６を支点とし、中樋３０を力点とすると、第一リンク４１の他端４３は作用点となり、中樋３０が雨水Ｍが溜まってその重さを増していくと、中樋３０は下方へ移動しようとするので、てこの原理によって、第一リンク４１の他端４３には上方へ移動する力が加わるようになる。この第一リンク４１の他端４３には、雪受板２０の重さが掛かっているため、第一リンク４１の他端４３に掛かる上方へ移動する力が、雪受板２０の重さよりも勝ると、第一リンク４１の他端４３は上方へ移動させられるようになる。第一リンク４１の他端４３には、第二リンク４５の一端４６が軸支されており、第一リンク４１の他端４３が上方へ移動すると、第二リンク４５の一端４６も上方へ移動させられるようになる。この第二リンク４５の他端４７には、雪受板２０が軸支されているので、第二リンク４５の一端４６が上方へ移動すると雪受板２０も上方へ移動させられるようになる。即ち、中樋３０に雨水Ｍが溜まり、この雨水Ｍを含む中樋３０の重さによって、第一リンク４１の他端４３に、雪受板２０の重さよりも強い力を与えるようになると、中樋３０は下方へ移動させられ、雪受板２０は上方へ移動させられて離間位置Ｌに位置させられるようになる。
【００２４】
即ち、雨が降ると、中樋３０に雨水Ｍが溜まり、雪受板２０は、離間位置Ｌに回動して移動させられるようになり、樋本体１０を開放するようになるので、樋本体１０に屋根１からの雨水が流れ込むようになり、雨樋としての機能を果たすことができる。
【００２５】
また、中樋３０には、小径のフロー孔３１が設けられている。このフロー孔３１によって、中樋３０から、適宜に樋本体１０に雨水Ｍを排水している。また、図６に示すように、雨が止むと、中樋３０に雨水Ｍが入り込まなくなるので、雨水Ｍは、フロー孔３１から排水されるだけとなる。このことから、雨が止むと、雨水Ｍを含む中樋３０の重さは、徐々に軽くなり、第一リンク４１の他端４３に掛かる上方へ移動する力が弱くなっていく。第一リンク４１の他端４３に掛かる雪受板２０の重さは変化しないので、徐々に第一リンク４１の他端４３は、下方に移動させられるようになる。即ち、雨が止むと、雪受板２０は、離間位置Ｌから下方へ移動させられ、受け位置Ｕに位置させられるようになる。
【００２６】
このように、雪受板２０は、中樋３０に溜まる雨水Ｍによって、自動的に受け位置Ｕと離間位置Ｌとの２位置に移動させられるようになるので、逐一手動で動かす必要がなく、煩雑さが解消される。
【００２７】
図７乃至図１２には、本発明の第二の実施の形態に係る雨樋装置Ｇｂを示している。この実施の形態に係る雨樋装置Ｇｂは、上記の第一の実施の形態と異なって、樋本体１０を、軒下３に取付部材６０を介して回動軸１１を中心に回動可能に設けている。また、上記と異なって、雪受板２０は、その基端部２５を樋本体１０の開口１９の外側縁１９ａに連設して設けられ、樋本体１０と一体形成されている。また、中樋３０は、雪受板２０の先端部２１の内側２８に一体形成されている。また、中樋３０には、小径のフロー孔３１が設けられている。更に、この中樋３０の側面３４には、中樋３０に溜まった雨水Ｍが、中樋３０から溢れ出すことを防ぐためのオーバーフロー孔３５が設けられている。
【００２８】
樋本体１０の取付部材６０は、図７及び図１０乃至図１２に示すように、樋本体１０を回動可能に取付ける樋取付部６１と、樋本体１０の移動時に樋本体１０の内側部２７の移動を制止する制止部６２と、軒下３に固定され樋取付部６１と制止部６２とが設けられた固定板６３とを備えて構成される。樋本体１０の中央下側は、樋取付部６１に回動軸１１としてのピン６４で軸支されている。制止部６２は、固定板６３から延設され、先端部分６５が下方に屈折してＬ字型に形成されている。これにより、雪受板２０は、回動軸１１を中心に回動させられて、屋根１の先端２との間に雨水Ｍが通過しうる間隙１２を形成するとともに樋本体１０を覆い屋根１面から滑落する雪を上面２２で受ける受け位置Ｕ及び受け位置Ｕから離間して樋本体１０を開放する離間位置Ｌの２位置に位置させられる。
【００２９】
また、回動機構４０は、樋本体１０，中樋３０及び雪受板２０自体で構成される。この回動機構４０は、所定量以上溜まった雨水Ｍを含む中樋３０の重さにより樋本体１０の重さに抗して樋本体１０及び中樋３０とともに回動して雪受板２０を離間位置Ｌに回動させ、また、樋本体１０の重さにより所定量に満たない溜まった雨水Ｍを含む中樋３０の重さに抗して樋本体１０及び中樋３０とともに回動して雪受板２０を受け位置Ｕに回動させる。
【００３０】
更に、この第二の実施の形態に係る雨樋装置Ｇｂには、図８に示すように、雨樋装置Ｇｂの長手方向端部１４に、樋本体１０から流水してきた雨水Ｍを地上に送るための縦樋１５と、樋本体１０と縦樋１５とを繋ぐ繋部１６とが備えられている。繋部１６は、樋本体１０，中樋３０及び雪受板２０が回動しうるように、これらの端部を覆うカップ状に形成されている。繋部１６の底面１７には、縦樋１５に雨水Ｍを送るための開口１８が設けられている。
【００３１】
このように構成される本発明の第二の実施の形態に係る雨樋装置Ｇｂによれば、図９に示すように、常時は、雪受板２０は、受け位置Ｕに位置されており、樋本体１０を覆うようになっている。この状態で降雪があると、図１０に示すように、屋根１と雪受板２０の上面２２とで、雪を受け止めることができ、樋本体１０に雪が入り込まず、雪の重さによって樋本体１０が破損することを防ぐことができる。また、積もった雪が屋根１から滑り落ちるときは、雪受板２０の上面２２に受けられてこれを滑って落下していく。そのため、樋本体１０が破損することを防ぐことができる。また、降雪時でない場合、落ち葉，ゴミ等の異物が樋本体内に入り込むことも防止される。
【００３２】
また、雨が降った場合には、図１１に示すように、屋根１からの雨水Ｍは、雪受板２０が受け位置Ｕに位置するときに雪受板２０の先端部２１と屋根１の先端２との間に生じる間隙１２に入り込み、間隙１２の真下に位置する中樋３０に溜まるようになる。この溜まった雨水Ｍを含む中樋３０の重さが、樋本体１０の重さよりも重くなった時、中樋３０及び雪受板２０は受け位置Ｕから離間位置Ｌへ回動して移動させられるようになり、樋本体１０も中樋３０及び雪受板２０とともに離間位置Ｌに回動して移動させられるようになる。このとき、樋本体１０の内側部２７は、回動によって、上方へ移動させられるようになる。樋本体１０の内側部２７は、上方に移動していくと、制止部６２の下方に屈折した部分にぶつかり、その移動を制止させられる。これによって、樋本体１０の回動も制止させられ、中樋３０及び雪受板２０の回動も制止させられる。この状態では、雪受板２０は、樋本体１０を開放する離間位置Ｌに位置させられるようになる。
【００３３】
即ち、雨が降ると、中樋３０に雨水Ｍが溜まり、中樋３０及び雪受板２０は、離間位置Ｌに回動して移動させられるようになり、樋本体１０を開放するようになるので、樋本体１０に屋根１からの雨水が流れ込むようになり、雨樋としての機能を果たすことができる。
【００３４】
図１２に示すように、中樋３０においては、フロー孔３１によって、中樋３０から、適宜に樋本体１０に雨水Ｍが排水されており、雨が止むと、中樋３０に雨水Ｍが入り込まなくなるので、雨水Ｍは、フロー孔３１から排水されるだけとなる。これにより、雨水Ｍを含む中樋３０の重さは、徐々に軽くなっていく。樋本体１０の重さは変化しないので、徐々に中樋３０は、受け位置Ｕに向けて移動させられるようになる。即ち、雨が止むと、中樋３０及び雪受板２０は、離間位置Ｌから徐々に受け位置Ｕに向けて移動させられ、受け位置Ｕに位置させられるようになる。
【００３５】
このように、中樋３０及び雪受板２０は、中樋３０に溜まる雨水Ｍによって、自動的に受け位置Ｕと離間位置Ｌとの２位置に移動させられるようになるので、逐一手動で動かす必要がなく、煩雑さが解消される。
【００３６】
また、第二の実施の形態においては、樋本体１０が回動可能に設けられているため、樋本体１０と縦樋１５とを直接繋ぐことができない。このため、樋本体１０と縦樋１５とを繋ぎ、樋本体１０からの流水を縦樋１５に送るための繋部１６が設けられている。この繋部１６によって、樋本体１０が回動している状態でも縦樋１５に雨水Ｍを送ることができ、縦樋１５から地上に雨水Ｍが送られるため、雨樋としての機能を果たすことができる。
【００３７】
尚、上記第一の実施の形態において、回動機構４０をリンク機構で構成したが、必ずしもこれに限定されるものではなく、中樋３０，雪受板２０が回動できうる構成であればどのようなものでも良く、適宜変更して差支えない。
また、上記実施の形態において、各部材は、金属，樹脂等適宜の材料で形成して良い。
【図面の簡単な説明】
【００３８】
【図１】本発明の第一の実施の形態に係る雨樋装置を樋本体に取付けた状態で示す斜視図である。
【図２】本発明の第一の実施の形態に係る雨樋装置を樋本体に取付けた状態で示す平面図である。
【図３】本発明の第一の実施の形態に係る雨樋装置を樋本体に取付けた状態で示す側面図である。
【図４】本発明の第一の実施の形態に係る雨樋装置の雪が降ったときの状態を示す側面図である。
【図５】本発明の第一の実施の形態に係る雨樋装置の雨が降ったときの状態を示す側面図である。
【図６】本発明の第一の実施の形態に係る雨樋装置の雨が止んだときの状態を示す側面図である。
【図７】本発明の第二の実施の形態に係る雨樋装置を示す分解斜視図である。
【図８】本発明の第二の実施の形態に係る雨樋装置の端部を示す斜視図である。
【図９】本発明の第二の実施の形態に係る雨樋装置を示す側面図である。
【図１０】本発明の第二の実施の形態に係る雨樋装置の雪が降ったときの状態を示す側面図である。
【図１１】本発明の第二の実施の形態に係る雨樋装置の雨が降ったときの状態を示す側面図である。
【図１２】本発明の第二の実施の形態に係る雨樋装置の雨が止んだときの状態を示す側面図である。
【図１３】従来の雨樋装置の一例を示す図である。
【符号の説明】
【００３９】
Ｇａ  雨樋装置
Ｇｂ  雨樋装置
Ｍ  雨水
Ｕ  受け位置
Ｌ  離間位置
１  屋根
２  先端
３  軒下
１０  樋本体
１１  回動軸
１２  間隙
１３  上端部
１４  端部
１５  縦樋
１６  繋部
１７  底面
１８  開口
１９  開口
１９ａ  外側縁
２０  雪受板
２１  先端部
２２  上面
２３  裏面
２４  ピン
２５  基端部
２７  内側部
２８  内側
２９  基端部
３０  中樋
３１  フロー孔
３２  底面
３３  外側
３４  側面
３５  オーバーフロー孔
４０  回動機構
４１  第一リンク
４２  一端
４３  他端
４４  中間
４５  第二リンク
４６  一端
４７  他端
４８  ピン
５０  ベース部材
５１  支持部
５２  筒状体
５３  取付部
５４  一方端部
５５  他方端部
５６  ピン
６０  取付部材
６１  樋取付部
６２  制止部
６３  固定板
６４  ピン（回動軸）
６５  先端部分
【図１】
2008214899.tif 000003
【図２】
2008214899.tif 000004
【図３】
2008214899.tif 000005
【図４】
2008214899.tif 000006
【図５】
2008214899.tif 000007
【図６】
2008214899.tif 000008
【図７】
2008214899.tif 000009
【図８】
2008214899.tif 000010
【図９】
2008214899.tif 000011
【図１０】
2008214899.tif 000012
【図１１】
2008214899.tif 000013
【図１２】
2008214899.tif 000014
【図１３】
2008214899.tif 000015